(57)【要約】【課題】小型で圧損が少ない電気掃除機用吸込具を提供する。【解決手段】底面に第１の吸入口２３を有する第１吸込具１１と、底面に第２の吸入口１５を有すると共に第１吸込具１１に着脱自在に装着される第２吸込具１０を備え、第２吸込具１０を第１吸込具１１に装着した時に、第２の吸入口１５が第１の吸入口２３の上方に位置すると共に、第１の吸入口２３と第２の吸入口１５が連通するもので、第２吸込具１０を第１吸込具１１に装着した時、第１の吸入口２３と第２の吸入口１５が上下方向で直接連通すると共に、第１の吸入口２３と第２の吸入口１５との間の吸い込み通路が短縮されるので、空気圧損が少なくなり塵埃吸引性能が向上すると共に、大きな塵埃も電気掃除機用吸込具内３で引っ掛かりにくく、更に、第１の吸入口と第２の吸入口とが位置的に重なっているので、電気掃除機用吸込具３の奥行き寸法が小さくなり、小型化できる。【選択図】図５
2008188377.tif 000002
【特許請求の範囲】
【請求項１】
底面に第１の吸入口を有する第１吸込具と、底面に第２の吸入口を有すると共に前記第１吸込具に着脱自在に装着される第２吸込具を備え、前記第２吸込具を前記第１吸込具に装着したときに、前記第２の吸入口は、前記第１の吸入口の上方に位置すると共に前記第１の吸入口と前記第２の吸入口が連通する電気掃除機用吸込具。
【請求項２】
第２吸込具を第１吸込具に装着したときに、第２の吸入口の前縁が、第１の吸入口の前後方向での中心より前側に位置するようにした請求項１に記載の電気掃除機用吸込具。
【請求項３】
第２吸込具を第１吸込具に装着したときに、第２の吸入口の一部を閉鎖するようにした請求項１又は２に記載の電気掃除機用吸込具。
【請求項４】
第２吸込具に第３の吸入口を設け、前記第２吸込具を第１吸込具に装着したときに、前記第３の吸入口を閉鎖するようにした請求項１〜３のいずれか１項に記載の電気掃除機用吸込具。
【請求項５】
第３の吸入口を第２吸込具の前部に設けた請求項４に記載の電気掃除機用吸込具。
【請求項６】
電動送風機を内蔵する掃除機本体と、請求項１〜５のいずれか１項に記載の電気掃除機用吸込具を備えた電気掃除機。
【発明の詳細な説明】
【技術分野】
【０００１】
本発明は、第１吸込具と、その第１吸込具に着脱自在に装着される第２吸込具からなる電気掃除機用吸込具と、それを用いた電気掃除機に関するものである。
【背景技術】
【０００２】
従来のこの種の電気掃除機用吸込具として、図７、図８に示されるようなものがあった。（例えば、特許文献１参照）。図７は、前記特許文献１に記載された従来の電気掃除機用吸込具の斜視図、図８は、同電気掃除機用吸込具の断面図である。
【０００３】
図７、８において、従来の電気掃除機用吸込具１０１は、床面の塵埃を吸引するための第１吸込具１０２と、第１吸込具１０２より小型でしかも第１吸込具１０２に着脱自在に装着される第２吸込具１０３から構成されている。第１吸込具１０２の底面前側には、床面の塵埃を吸引するための第１の吸入口１０４が設けられ、第１吸込具１０２の後方には、上向きの開口部１０５を有すると共に第２吸込具１０３が着脱自在に装着される装着部１０６が設けられ、第１の吸入口１０４と開口部１０５とは、連通している。１０７は、装着部１０６に装着された第２吸込具１０３を保持する操作レバーで、それを下方に足などで押すことにより、保持が解除され、第２吸込具１０３を第１吸込具１０２の装着部１０６から取り外す事ができるようになっている。
【０００４】
第２吸込具１０３は、家具などを清掃するときに用いられるもので、底面に第２の吸入口１０８を有し、上方後部に傾動自在に取着され電気掃除機（図示せず）に連通接続された延長管１０９に接続される接続パイプ１１０を備え、第２吸込具１０３を、第１吸込具１０２の装着部１０６に装着すると、開口部１０５と第２の吸入口１０８とが連通するようになっている。
【０００５】
以上のように構成された上記従来の電気掃除機用吸込具１０１の動作、作用は以下の通りである。
【０００６】
延長管１０９に接続した第２吸込具１０３を、第１吸込具１０２の後方に設けた装着部１０６に装着し、電気掃除機を運転すると、電気掃除機に内蔵された電動送風機（図示せず）による吸引力が、第１吸込具１０２の底面前側に位置する第１の吸入口１０４に作用し、床面上の塵埃が空気と共に、その第１の吸入口１０４から流入し、第１吸込具１０２の後方上部に位置する装着部１０６に装着された第２吸込具１０３の第２の吸入口１０８、延長管１０９を経て電気掃除機に内蔵された集塵室（図示せず）に至り、そこで塵埃が捕捉される。
【０００７】
次に、家具や階段等の狭い場所を掃除する場合は、延長管１０９に第２吸込具１０３を接続したままで、操作レバー１０７を足で踏むと、操作レバー１０７による第２吸込具１０３の保持が解除されるので、延長管１０９を持ち上げると、第２吸込具１０３は、簡単に装着部１０６から外れ、直ちに家具などの掃除ができる。
【０００８】
従来の他の電気掃除機用吸込具の例として、図９〜１１に示されるようなものがあった（例えば、特許文献２参照）。
【０００９】
図９は、従来の他の電気掃除機用吸込具の斜視図、図１０は、同電気掃除機用吸込具の断面図、図１１は、同電気掃除機用吸込具の第２吸込具の断面図である。
【００１０】
図９〜１１において、従来の電気掃除機用吸込具１１５は、床面の塵埃を吸引するための第１吸込具１１６と、第１吸込具１１６より小型でしかも第１吸込具１１６に着脱自在に装着される第２吸込具１１７から構成されている。
【００１１】
第１吸込具１１６の底面前側には、床面の塵埃を吸引するための第１の吸入口１１８が設けられ、第１吸込具１１６の略中央後方には、第２吸込具１１７が着脱自在に装着される略凹状の装着部１１９が設けられている。装着部１１９の前部には、第１の吸入口１１８と連通する開口部１２０が設けられている。
【００１２】
１２１は、装着部１１９に装着された第２吸込具１１７を保持する操作レバーで、それを下方に足などで押すことにより、保持が解除され、第２吸込具１１７を第１吸込具１１６の装着部１１９から取り外す事ができるようになっている。
【００１３】
第２吸込具１１７は、第１吸込具１１６より小型で、家具などを清掃するときに用いられるもので、底面に第２の吸入口１２２を有し、前端に、第２の吸入口１２２より開口面積が小さく、しかも部分的に蓋体１２３で開閉される第３の吸入口１２４を備え、中央後部には、第２、第３の吸入口１２２、１２４と連通すると共に延長管（図示せず）に接続される接続パイプ１２５が傾動自在に設けられている。そして、第２吸込具１１７を、第１吸込具１１６の装着部１１９に装着すると、第１吸込具１１６側に設けた突起１２６により蓋体１２３が押され、第３の吸入口１２４が開いて開口部１２０と連通すると共に、第２吸込具１１７の底面の第２の吸入口１２２が、第１吸込具１６の装着部１１９の底面で塞がれるようになっている。
【００１４】
以上のように構成された上記従来の電気掃除機用吸込具１１５の動作、作用は以下の通りである。
【００１５】
延長管に接続した第２吸込具１１７を、第１吸込具１１６の後部に設けた装着部１１９に装着すると、蓋体１２３が、突起１２６で押されて第２吸込具１１７の第３の吸入口１２４が全開し、第１の吸入口１１８と連通する。ここで、電気掃除機を運転すると、電気掃除機に内蔵された電動送風機（図示せず）による吸引力が、第１吸込具１１６の底面前側に位置する第１の吸入口１１８に作用し、床面上の塵埃が空気と共に、その第１の吸入口１１８から流入し、開口部１２０、第２吸込具１１７の前端に位置する第３の吸入口１２４、接続パイプ１２５、延長管を経て電気掃除機に内蔵された集塵室（図示せず）に至り、そこで塵埃が捕捉される。
【００１６】
次に、家具や階段等の狭い場所を掃除する場合は、延長管に第２吸込具１１７を接続した状態で、操作レバー１２１を足で踏むと、操作レバー１２１による第２吸込具１１７の保持が解除されるので、延長管を持ち上げると、第２吸込具１１７は、簡単に装着部１１９から外れ、蓋体１２３が第３の吸入口１２４を一部を残して閉じると共に、第２の吸入口１２２で、直ちに掃除を開始することができる。なお、蓋体１２３が第３の吸入口１２４の一部を残して閉じるのは、万が一、第２の吸入口１２２が、何らかの原因で完全に塞がれても、第３の吸入口１２４より外気を吸引して、電動送風機が異常過熱するのを防止するためのものである。
【００１７】
以上の構成により、第１吸込具１１６と第２吸込具１１７とを腰を屈めることなく切り換えることができ、被掃除面の掃除から階段等の狭い場所の掃除に簡単に切り換えることができる利便性を有している。
【特許文献１】特開２００１−３１４３５８号公報
【特許文献２】特開２００４−２８３２１６号公報
【発明の開示】
【発明が解決しようとする課題】
【００１８】
しかしながら、上記特許文献１に記載された従来の電気掃除機用吸込具の構成では、第２吸込具１０３が第１吸込具１０２に装着されたとき、第１吸込具１０２の第１の吸入口１０４が前側に位置し、第２吸込具１０３の第２の吸入口１０８が後ろ側に位置し、第１の吸入口１０４と第２の吸入口１０８とが前後方向でずれているため、吸引風がスムーズに流れず圧損が大きくなって塵埃の吸引性能が低下したり、紙くずなどかさばる塵埃が、途中で引っ掛かるなどといった課題があった。
【００１９】
また、第１の吸入口１０４と第２の吸入口１０８とが前後方向でずれているため、電気掃除機用吸込具１０１の前後方向の寸法が大きくなり、電気掃除機用吸込具１０１が大型化するといった課題が有った。
【００２０】
また、上記特許文献２に記載された従来の電気掃除機用吸込具の構成では、第１の吸入口１１８から吸引された塵埃を含む空気が、開口面積が小さく、また前端に設けられた第３の吸入口１２４を経て吸引されるようになっているので、圧損が大きく、しかも蓋体１２３を開ける機能も必要になるため、構造が複雑になり、製造コストが上昇すると共に、吸引通路が長くなって圧損が大きくなり清掃効果が低下するという課題があった。また、開口面積が小さい第３の吸入口１２４を経て吸引されるようになっているので、紙くずなどの大きな塵埃が吸引通路内で引っ掛かるなどの課題があった。
【００２１】
本発明は、上記従来の課題を解決するもので、小型で、圧損が小さく、吸引性能に優れた電気掃除機用吸込具及び電気掃除機を提供することを目的とする。
【課題を解決するための手段】
【００２２】
上記従来の課題を解決するために、本発明の電気掃除機用吸込具は、底面に第１の吸入口を有する第１吸込具と、底面に第２の吸入口を有すると共に前記第１吸込具に着脱自在に装着される第２吸込具を備え、前記第２吸込具を前記第１吸込具に装着したときに、前記第２の吸入口は、前記第１の吸入口の上方に位置すると共に前記第１の吸入口と前記第２の吸入口が連通するもので、第２吸込具を第１吸込具に装着したとき、第１の吸入口と第２の吸入口が上下方向で直接連通すると共に、第１の吸入口と第２の吸入口との間の吸引通路が短縮されるので、空気圧損が少なくなり塵埃吸引性能が向上すると共に、紙くずなどかさばる塵埃も電気掃除機用吸込具内で引っ掛かりにくくなる。更に、第１の吸入口と第２の吸入口とが位置的に重なっているので、電気掃除機用吸込具全体の奥行き寸法が小さくなり、使い勝手が向上する。
【００２３】
また、本発明の電気掃除機は、電動送風機を内蔵する掃除機本体と、請求項１〜５のいずれか１項に記載の電気掃除機用吸込具を備えたもので、吸引性能に優れた電気掃除機を提供することができる。
【発明の効果】
【００２４】
本発明の電気掃除機用吸込具及び電気掃除機は、小型、安価で、圧損が小さく、塵埃吸引性能に優れたものである。
【発明を実施するための最良の形態】
【００２５】
第１の発明は、底面に第１の吸入口を有する第１吸込具と、底面に第２の吸入口を有すると共に前記第１吸込具に着脱自在に装着される第２吸込具を備え、前記第２吸込具を前記第１吸込具に装着したときに、前記第２の吸入口は、前記第１の吸入口の上方に位置すると共に前記第１の吸入口と前記第２の吸入口が連通するもので、第２吸込具を第１吸込具に装着したとき、第１の吸入口と第２の吸入口が上下方向で直接連通すると共に、第１の吸入口と第２の吸入口との間の吸引通路が短縮されるので、空気圧損が少なくなり塵埃吸引性能が向上すると共に、紙くずなどかさばる塵埃も電気掃除機用吸込具内で引っ掛かりにくくなる。更に、第１の吸入口と第２の吸入口とが位置的に重なっているので、電気掃除機用吸込具全体の奥行き寸法が小さくなり、使い勝手が向上する。
【００２６】
第２の発明は、特に、第１の発明の第２吸込具を第１吸込具に装着したときに、第２の吸入口の前縁が、第１の吸入口の前後方向での中心より前側に位置するようにしたもので、第１吸込具で床面を掃除する際に、その床面に作用する吸引力のむらを大幅に低減することができる。
【００２７】
第３の発明は、特に、第１又は第２の発明の第２吸込具を第１吸込具に装着したときに、第２の吸入口の一部を閉鎖するようにしたもので、第２の吸入口の開口面積を大きくして、第２吸込具だけで掃除をする際の吸引力の適正化を図ることができると共に、吸い込み音を低減できる。
【００２８】
第４の発明は、特に、第１〜３のいずれか一つの発明の第２吸込具に第３の吸入口を設け、前記第２吸込具を第１吸込具に装着したときに、前記第３の吸入口を閉鎖するようにしたもので、第３の吸入口により、第２吸込具単体で掃除する際の吸引力の適正化が図れると共に、吸い込み音を低減できる。また、第２吸込具を第１吸込具に装着したときに、第３の吸入口が閉鎖され、そこから外気が流入することが無いので、第１吸込具で掃除する際の塵埃吸引性能を低下させることが無い。
【００２９】
第５の発明は、特に、第４の発明の第３の吸入口を第２吸込具の前部に設けたもので、第２吸込具単体で掃除をしている際に、第２の吸入口が被掃除面で塞がれても前部に配した第３の吸入口から外気が流入し、第２の吸入口が被掃除面に吸着して、電気掃除機用吸込具が操作しづらくなることが無い。
【００３０】
第６の発明は、電動送風機を内蔵する掃除機本体と、請求項１〜５のいずれか１項に記載の電気掃除機用吸込具を備えたもので、吸引性能に優れた電気掃除機を提供することができる。
【００３１】
以下、本発明の実施の形態について、図面を参照しながら説明する。なお、この実施の形態によって本発明が限定されるものではない。
【００３２】
（実施の形態１）
図１は、本発明の第１の実施の形態における電気掃除機用吸込具を接続した電気掃除機の全体斜視図、図２（ａ）は、同電気掃除機用吸込具の平面図、（ｂ）は、同電気掃除機用吸込具の側面図、図３（ａ）は、同電気掃除機用吸込具の第２吸込具の側面図、（ｂ）は、同第２吸込具の下面図、（ｃ）は、同第２吸込具の正面図、図４は、同第２吸込具の断面図、図５は、同電気掃除機用吸込具の断面図である（第１吸込具に第２吸込具を装着した状態）。
【００３３】
図１〜５において、電気掃除機１は、電動送風機（図示せず）を内蔵する掃除機本体７と、一端がホース継ぎ手５を介し掃除機本体７の前部に接続されるホース６と、ホース６の他端に設けられた手元ハンドル４に連結される延長管２と、延長管２の先端に接続される電気掃除機用吸込具３から構成されている。
【００３４】
吸込具３は、主に床面の清掃に用いられる第１吸込具１１と、第１吸込具１１に設けた収納凹部２６に着脱自在に装着されると共に、家具や狭い場所の清掃に使用される第２吸込具１０から構成されている。第２吸込具１０は、吸気ヘッド４０と、吸気ヘッド４０に回動連結部８を介して回動及び傾動自在に連結されると共に延長管２に連結するための連結管９を備えている。
【００３５】
第１吸込具１１に対する第２吸込具１０の着脱は、第１吸込具１１に設けられた操作レバー１３を押し下げることにより、収納凹部２６内に設けられた第２吸込具１０を把持する保持具１２の把持状態が解放されて第２吸込具１０を、第１吸込具１１から離脱させることができ、第２吸込具１０を用いて狭い場所の掃除ができる。狭い場所の清掃後、保持具１２内に第２吸込具１０を載せて軽く押圧することにより、第２吸込具１０は、第１吸込具１１に装着され、第１吸込具１１を用いて床面などの通常の被掃除面の掃除を効率よく行なうことができる。
【００３６】
第２吸込具１０は、図３に示すように、第１吸込具１１への装着方向面となる底面は略円弧状に形成され、円弧軸方向に円弧頂点部位に起毛布（起毛体）１４が貼着され、その両側に第２の吸引口１５が開口し、それぞれの脇にも起毛布１４が貼着されている。
【００３７】
また、第２吸込具１０の前面、すなわち前方端部に、第２の吸入口１５の全開口面積より小さい第３の吸入口１６が開口しており、これら第２、３の吸入口１５、１６は、連結管９と連通して空気流路が形成されている。
【００３８】
起毛布１４は、シート面上に細かい毛を密集起毛させたもので、第２の吸入口１５の両側を封鎖して、第２の吸入口１５からの吸塵能力を向上させ、第２吸込具１０の動きに応じて凹部の塵埃を掻き出し、掃除面の塵埃を第２の吸入口１５に導き、掃除面を拭く作用効果を発揮すると共に、家具や掃除面を傷つけないバンパーの作用も有するものである。この第２吸込具１０に適用するのに起毛布１４が最も望ましいものであるが、同形状のブラシ、フェルト等を用いても良い。
【００３９】
尚、本実施の形態においては、第２吸込具１０の第２の吸入口１５は２列に設けられているが、円弧の頂点部位に１列に設け、その両側に起毛布１４を配設するように構成しても良い。
【００４０】
第１吸込具１１は、底面に横長の第１の吸入口２３を形成した幅広の吸込部２４と、その中央部分から後方に突出する走行部２５とを設けて、平面形状が略Ｔの字状に形成され、図２に示すように、上面側に走行部２５の後方端から吸込部２４にかけて、第２吸込具１０を収納する収納凹部２６が形成されている。
【００４１】
保持具１２は、第１吸込具１１に形成された収納凹部２６の断面形状に沿うように配設され、第２吸込具１０が収納凹部２６に収納された状態では、その第２吸込具１０を把持し、操作レバー１３を押し下げると、それに連結されたリンク機構（図示せず）により、第２吸込具１０の把持を開放すると共に、第２吸込具１０を上方に、持ち上げる動作をするようになっている。
【００４２】
収納凹部２６の底部で、第１の吸入口２３の上方に位置する部分には、第１の吸入口２３と連通する連通口２７が開口されており、収納凹部２６に第２吸込具１０を装着すると、第２吸込具１０に形成された第２の吸入口１５が連通口２７の上部に位置するように配置されており、これにより、第１吸込具１１の第１の吸入口２３と連結管９との間が連通し、掃除機本体７への空気流路が形成される。
【００４３】
なお、本実施の形態では、第２吸込具１０を第１吸込具１１に装着したときに、第２の吸入口１５の前縁１５ａが、第１の吸入口２３の前後方向での中心ＣＬより前側に位置するようにしている。更に、第２の吸入口１５の前後方向での幅Ｗ１は、第１の吸入口２３の前後方向での幅Ｗ２より大きく設定すると共に、第２吸込具１０を第１吸込具１１に装着したときに、図５に示すように、第２の吸入口１５の一部を閉鎖するようにしている。
【００４４】
収納凹部２６に第２吸込具１０が装着されると、図５に示すように、第３の吸入口１６が、収納凹部２６の前壁２６ａによって閉じられ、外気が第３の吸入口１６より流入しないようにしている。
【００４５】
第１吸込具１１に形成された収納凹部２６は、第２吸込具１０の高さ方向寸法と略同等の深さに形成されており、これに第２吸込具１０を収容すると、図２（ｂ）に示すように、第１吸込具１１の上面から第２吸込具１０が少し出るのみで、家具の下などに第１吸込具１１を容易に挿入できる扁平な吸込具３を構成することができる。また、第１吸込具１１の高さは、図２に示すように収納凹部２６の両側に小回り車輪３６を配設したことによっても高さ減少の効果が得られる。
【００４６】
前述したように、第２吸込具１０の、吸気ヘッド４０と連結管９との間には左右方向に回動自在に連結する回動連結部８が設けられており、第２吸込具１０が第１吸込具１１に装着された状態では、図１に示すように連結管９に延長管２を介して連結された手元ハンドル４の上げ下げ動作に対応して、連結管９は、回動連結部８に対し上下回動する。
【００４７】
また、手元ハンドル４を回動させる動き、即ち第１吸込具１１の進路方向を左右いずれかの方向に変更するハンドル操作がなされるときには、進路方向に手元ハンドル４を回動させる動きが自然になされるので、回動連結部８に回動力が加わると、第１吸込具１１の後方側に回動連結部８があるため、軸の回動方向に第１吸込具１１が回動する動きが働き、スムーズに第１吸込具１１の進路変更がなされる。
【００４８】
第２吸込具１０を第１吸込具１１から離脱した状態では、第２吸込具１０の吸気ヘッド４０が自由に左右に回動すると扱い難くなるので、第２吸込具１０を第１吸込具１１から離脱した時に、吸気ヘッド４０の回動をロックする回動ロック手段（図示せず）を第２吸込具１０に内蔵し、第２吸込具１０を第１吸込具１１に装着したときに、第１吸込具１１に設けた突起（図示せず）で、回動ロック手段による吸気ヘッド４０の回動ロックを解除するようにすれば、より使用勝手の良い吸込具３を提供することができる。
【００４９】
以上のように構成された本実施の形態における吸込具３によれば、第２吸込具１０を第１吸込具１１に装着した状態では、幅広の第１吸込具１１により一般的な電気掃除機と同様に被掃除面の掃除を効率よく行なうことができ、第１吸込具１１が入らないような狭い場所や階段などを掃除する場合など、必要に応じて操作レバー１３を足踏みすると、腰を屈めることなく第１吸込具１１から第２吸込具１０を離脱させることができ、第２吸込具１０だけを用いた掃除ができるので、先端ノズルを付け替える面倒な作業は解消される。
【００５０】
また、第２吸込具１０を離脱した第１吸込具１１は、被掃除面にあるので、第２吸込具１０だけを用いての掃除が終わったら、その第２吸込具１０を第１吸込具１１に押し入れると即座に、通常の床掃除に移ることができる。
【００５１】
また、第２吸込具１０を第１吸込具１１に装着したとき、第２の吸入口１５が第１の吸入口２３の上方に位置して、第１の吸入口２３と第２の吸入口１５が上下方向で直接連通すると共に、第１の吸入口２３と第２の吸入口１５との間の吸引通路が短縮されるので、空気圧損が少なくなり塵埃吸引性能が向上すると共に、紙くずなどかさばる塵埃も吸込具３内で引っ掛かりにくくなる。更に、第１の吸入口２３と第２の吸入口１５とが位置的に重なっているので、吸込具３全体の奥行き寸法が小さくなり、使い勝手が向上する。
【００５２】
また、第２吸込具１０を第１吸込具１１に装着したときに、第２の吸入口１５の前縁１５ａを、第１の吸入口２３の前後方向での中心ＣＬより前側に位置させているので、第１吸込具１１で床面を掃除する際に、その床面に作用する吸引力のむらを大幅に低減することができる。
【００５３】
また、第２吸込具１０を第１吸込具１１に装着したときに、第２の吸入口１５の一部を閉鎖するようにしたので、第２の吸入口１５の開口面積を大きくして、第２吸込具１０だけで掃除をする際の吸引力の適正化を図ることができると共に、吸い込み音を低減できる。
【００５４】
また、第２吸込具１０に第３の吸入口１６を設けたので、第２吸込具１０単体で掃除する際の吸引力の適正化が図れる。さらに、第２吸込具１０を第１吸込具１１に装着したときに、第３の吸入口１６を閉鎖することにより、そこから外気が流入することが無いので、第１吸込具１１で掃除する際の塵埃吸引性能を低下させることが無い。
【００５５】
また、第３の吸入口１６を第２吸込具１０の前部に設けたことにより、第２吸込具１０単体で掃除をしている際に、第２の吸入口１５が被掃除面で塞がれても前部に配した第３の吸入口１６から外気が流入し、第２の吸入口１５が被掃除面に吸着して、吸込具３が操作しづらくなることが無い。
【００５６】
更に、第２吸込具１０を第１吸込具１１から離脱した状態で使用する時は、第２の吸入口１５の形成面が円弧状に形成されているので、図６に示すように、掃除面に対して自由な角度状態が得られ、特に、図６（ｂ）に示すように、壁面や家具の立ち上がりのコーナー部分にも第２の吸入口１５の吸気が作用してコーナー部分の塵埃を確実に吸引除去することができる。
【００５７】
また、小回り車輪３６を、第２吸込具１０に設けた回動連結部８の回動支点より後方に配設しているので、手元ハンドル４の操作により、第２吸込具１０を第１吸込具１１に装着するとき、小回り車輪３６を支点として第１吸込具１１が立ち上がったり、前方に走行してしまうことがなく、非常に使用勝手が良い。
【００５８】
また、電動送風機（図示せず）を内蔵する掃除機本体に上記実施の形態における吸込具３を連通接続することにより、吸引性能に優れた電気掃除機を提供することができる。
【００５９】
なお、上記実施の形態では、吸込具３を、ホース６、延長管２が連結される床移動型の電気掃除機１に使用した例で説明したが、本発明は、特にその形態に限定されるものでは無く、手元ハンドル付きの小型掃除機で、本体に短い管路で吸込具を取り付けたハンドクリーナと称される電気掃除機に上記吸込具３を接続してもよく、それにより、ハンドクリーナとしての機能を向上させることができる。
【産業上の利用可能性】
【００６０】
以上のように、本発明に係る電気掃除機用吸込具は、小型で、圧損が少なく塵埃吸引性能に優れたもので、家庭用、業務用、店舗用などといった各種電気掃除機に適用することができるものである。
【図面の簡単な説明】
【００６１】
【図１】本発明の第１の実施の形態における電気掃除機用吸込具を接続した電気掃除機の全体斜視図
【図２】（ａ）同電気掃除機用吸込具の平面図、（ｂ）同電気掃除機用吸込具の側面図
【図３】（ａ）同電気掃除機用吸込具の第２吸込具の側面図、（ｂ）同第２吸込具の下面図、（ｃ）同第２吸込具の正面図
【図４】同第２吸込具の断面図
【図５】同電気掃除機用吸込具の断面図
【図６】同第２吸込具によるコーナー部の吸塵を説明する概略図
【図７】従来の電気掃除機用吸込具の斜視図
【図８】同電気掃除機用吸込具の断面図
【図９】従来の他の例を示す電気掃除機用吸込具の斜視図
【図１０】同電気掃除機用吸込具の断面図
【図１１】同電気掃除機用吸込具の第２吸込具の断面図
【符号の説明】
【００６２】
１    電気掃除機
３    電気掃除機用吸込具（吸込具）
７    掃除機本体
８    回動連結部（回動連結手段）
９    連結管（管路）
１０  第２吸込具
１１  第１吸込具
１５  第２の吸入口
１６  第３の吸入口
２３  第１の吸入口
【図１】
2008188377.tif 000003
【図２】
2008188377.tif 000004
【図３】
2008188377.tif 000005
【図４】
2008188377.tif 000006
【図５】
2008188377.tif 000007
【図６】
2008188377.tif 000008
【図７】
2008188377.tif 000009
【図８】
2008188377.tif 000010
【図９】
2008188377.tif 000011
【図１０】
2008188377.tif 000012
【図１１】
2008188377.tif 000013